(57)【要約】      （修正有）【課題】印刷ロールから飛散する印刷インクのケーブルへの付着を抑制することができる、印刷品質及び保守性に優れたケーブル表面印刷装置を提供する。【解決手段】印刷ロール１２と、印刷ロール１２を収容する筐体１０と、筐体１０の上側に設けられた筐体１０の蓋１１と、を備え、蓋１１が、印刷ロール１２のロール面１２０に沿って上側に湾曲した上面と印刷ロール１２の側面１２１に沿った側面とから構成される、中空の凸部１１１を有し、印刷ロール１２の上側の一部が凸部１１１の内側に位置し、凸部１１１が、上面の側面から離れた領域に開口部１１２を有し、開口部１１２から露出した、印刷インク３の付着した印刷ロール１２のロール面１２０を蓋１１の上方のケーブル２の表面に接触させることにより、前記所定情報をケーブル２の表面に転写する、ケーブル表面印刷装置１を提供する。【選択図】図１
2019137002.tif 000002
【特許請求の範囲】
【請求項１】
印刷インクを用いてケーブルの表面に所定情報を印刷するケーブル表面印刷装置であって、
印刷ロールと、
前記印刷ロールを収容する筐体と、
前記筐体の上側に設けられた前記筐体の蓋と、
を備え、
前記蓋が、前記印刷ロールのロール面に沿って上側に湾曲した上面と前記印刷ロールの側面に沿った側面とから構成される、中空の凸部を有し、
前記印刷ロールの上側の一部が前記凸部の内側に位置し、
前記凸部が、前記上面の前記側面から離れた領域に開口部を有し、
前記開口部から露出した、前記印刷インクの付着した前記印刷ロールの前記ロール面を前記蓋の上方の前記ケーブルの表面に接触させることにより、前記所定情報を前記ケーブルの表面に転写する、
ケーブル表面印刷装置。
【請求項２】
前記蓋の前記上面と前記印刷ロールの前記ロール面との隙間の厚さの最大値が５ｍｍ未満である、
請求項１に記載のケーブル表面印刷装置。
【発明の詳細な説明】
【技術分野】
【０００１】
本発明は、ケーブル表面印刷装置に関する。
【背景技術】
【０００２】
従来のケーブル表面印刷装置として、文字などが刻印された印刷ロールの表面に印刷インクを塗布し、印刷ロールの文字などをケーブルの表面に転写するものが知られている（例えば、特許文献１参照）。
【０００３】
このような印刷ロールを用いたケーブル表面印刷装置においては、印刷ロールに付着した余分な印刷インクが印刷ロールの回転により飛散し、印刷中のケーブルに付着する場合がある。飛散してケーブルに付着した印刷インクは、ケーブルの外観を損ねるだけでなく、印刷された文字などの識別性を低下させるおそれもある。
【０００４】
そこで、特許文献１に記載の方法では、印刷インクを染み込ませたスポンジによって印刷ロールの表面に印刷インクを塗布する。これにより、印刷ロールに付着している印刷インクの運動エネルギーをスポンジによって吸収して印刷速度に依らず一定に保つことが可能となり、印刷ロールに付着している印刷インクが飛散することが無くなるとされている。
【先行技術文献】
【特許文献】
【０００５】
【特許文献１】特開２０１６−２０３４８７号公報
【発明の概要】
【発明が解決しようとする課題】
【０００６】
しかしながら、特許文献１に記載のケーブル表面印刷装置によれば、スポンジが印刷ロールとの接触により摩耗する。このため、スポンジの形状や印刷インク吸収量を維持するために、一定の時間毎にスポンジを交換する必要があり、保守性に難がある。また、スポンジの印刷ロールと接触しない箇所においては、残存した印刷インクが固化するおそれがあり、固化した印刷インクが印刷ロールへ供給されるとインクムラが生じる場合がある。
【０００７】
そこで、本発明は、印刷ロールから飛散する印刷インクのケーブルへの付着を抑制することができる、印刷品質及び保守性に優れたケーブル表面印刷装置を提供することを目的とする。
【課題を解決するための手段】
【０００８】
本発明は、上記課題を解決することを目的として、印刷インクを用いてケーブルの表面に所定情報を印刷するケーブル表面印刷装置であって、印刷ロールと、前記印刷ロールを収容する筐体と、前記筐体の上側に設けられた前記筐体の蓋と、を備え、前記蓋が、前記印刷ロールのロール面に沿って上側に湾曲した上面と前記印刷ロールの側面に沿った側面とから構成される、中空の凸部を有し、前記印刷ロールの上側の一部が前記凸部の内側に位置し、前記凸部が、前記上面の前記側面から離れた領域に開口部を有し、前記開口部から露出した、前記印刷インクの付着した前記印刷ロールの前記ロール面を前記蓋の上方の前記ケーブルの表面に接触させることにより、前記所定情報を前記ケーブルの表面に転写する、ケーブル表面印刷装置を提供する。
【発明の効果】
【０００９】
本発明によれば、印刷ロールから飛散する印刷インクのケーブルへの付着を抑制することができる、印刷品質及び保守性に優れたケーブル表面印刷装置を提供することができる。
【図面の簡単な説明】
【００１０】
【図１】図１（ａ）、（ｂ）は、実施の形態に係るケーブル表面印刷装置の側面図である。
【図２】図２（ａ）、（ｂ）は、それぞれ蓋の上面図と垂直断面図である。
【図３】図３は、図１（ｂ）の線分Ｂ−Ｂで示される面で切断された蓋の一部及び印刷ロールの断面図である。
【発明を実施するための形態】
【００１１】
［実施の形態］
以下、本発明の実施の形態を添付図面にしたがって説明する。
【００１２】
（ケーブル表面印刷装置の構成）
図１（ａ）、（ｂ）は、本実施の形態に係るケーブル表面印刷装置１の側面図である。図１（ａ）は、後述するケーブル２の進行方向（長さ方向）に直交する方向から視た側面図であり、図１（ｂ）は、ケーブル２の進行方向に平行な方向から視た側面図である。
【００１３】
なお、図１（ａ）、（ｂ）においては、後述する筐体１０を透過させている。また、図１（ａ）においては、後述する固定治具１２ｂ、１２ｃ、インクタンク１５の図示を省略している。
【００１４】
ケーブル表面印刷装置１は、印刷インク３を用いてケーブル２の表面に所定情報（例えば文字、図形、又は記号等）を印刷するケーブル表面印刷装置であり、例えば、図１に示されるように、印刷ロール１２と、印刷ロール１２を収容する筐体１０と、筐体１０の上側に設けられた筐体１０の蓋１１と、を備える。
【００１５】
筐体１０は、印刷ロール１２、掻き上げロール１３、ドクターナイフ１４を収容する。また、筐体１０は、その底部に印刷インク３を貯留することができ、インクポットとして機能する。
【００１６】
蓋１１は、印刷ロール１２のロール面１２０をケーブル２へ接触させるための開口部１１２を有する筐体１０の蓋である。蓋１１を用いることにより、筐体１０に貯留された印刷インク３（印刷インク３を構成するインクや溶剤）の揮発を抑制することができる。
【００１７】
印刷ロール１２は、軸１２ａにより回転可能に保持されており、軸１２ａ周りのロール面１２０に、ケーブル２の表面に転写する文字、図形、又は記号が刻印されている。ケーブル表面印刷装置１の上方を走行するケーブル２の表面に、印刷インク３が付着したロール面１２０を接触させることにより、ケーブル２の表面に所定情報を連続的に転写することができる。印刷ロール１２は、軸１２ａに対して、２つの固定治具１２ｂにより固定され、軸１２ａは、２つの固定治具１２ｃにより筐体１０に固定されている。
【００１８】
掻き上げロール１３は、軸１３ａにより回転可能に保持されており、筐体１０に貯留されている印刷インク３を掻き上げて印刷ロール１２に受け渡すことができる。軸１３ａは、固定治具１３ｂにより筐体１０に固定されている。
【００１９】
ドクターナイフ１４は、印刷ロール１２が回転してケーブル２の表面に至る手前に、ロール面１２０に対向するように設置される。ドクターナイフ１４は、ロール面１２０に余分に付着した印刷インク３を削ぎ落として、印刷ロール１２への印刷インク３の付着量を調節することができる。
【００２０】
インクタンク１５は、筐体１０と図示されない供給管により接続されており、筐体１０内の印刷インク３の水位とインクタンク１５内の印刷インク３の水位は等しい。このため、インクタンク１５内の印刷インク３の水位から筐体１０内の印刷インク３の水位を知ることができる。インクタンク１５内の印刷インク３の水位が低下したときにインクタンク１５へ印刷インク３を外部から供給することにより、筐体１０内の印刷インク３の水位を一定に保つことができる。
【００２１】
押さえロール１６は、走行するケーブル２を上方から押さえるためのロールであり、ケーブル３の表面に文字などを印刷する際には、ケーブル３は押さえロール１６と印刷ロール１２に上下から挟まれた状態で走行する。
【００２２】
図２（ａ）、（ｂ）は、それぞれ蓋１１の上面図と垂直断面図である。図２（ｂ）に示される蓋１１の切断面は、図１（ａ）の線分Ａ−Ａで示される位置の切断面である。
【００２３】
図２（ａ）、（ｂ）に示されるように、蓋１１は、典型的には平板状である本体１１０と、本体１１０から上側（印刷時にケーブル２が走行する側）に突出した凸部１１１を有する。
【００２４】
凸部１１１は、印刷ロール１２のロール面１２０に沿って上側に湾曲した上面１１１ａと印刷ロール１２の側面（端面）１２１に沿った側面１１１ｂとから構成される、中空の部分である。印刷ロール１２の上側の一部は、凸部１１１の内側（中空部分の内部）に位置する。
【００２５】
また、蓋１１の凸部１１１は、上面１１１ａに開口部１１２を有する。このため、印刷ロール１２のロール面１２０の一部が、開口部１１２から露出する。開口部１１２から露出した、印刷インク３の付着した印刷ロール１２のロール面１２０を蓋１１の上方のケーブル２の表面に接触させることにより、所定情報をケーブル２の表面に転写することができる。
【００２６】
蓋１１の開口部１１２は、上面１１１ａの側面１１１ｂから離れた領域に形成されている。このため、印刷ロール１２の側面１２１の上方（ロール面１２０の軸方向の両端の上方）を上面１１１ａで覆うことができ、印刷ロール１２の側面１２１などに付着した印刷インク３が印刷ロール１２の回転によって円周方向へ飛散した際に、開口部１１２を抜けて印刷中のケーブル３に付着することを抑制できる。
【００２７】
図３は、図１（ｂ）の線分Ｂ−Ｂで示される面で切断された蓋１１の一部及び印刷ロール１２の断面図である。上述のように、蓋１１の凸部１１１の上面１１１ａは、印刷ロール１２のロール面１２０に沿って上側に湾曲しているため、上面１１１ａと印刷ロール１２のロール面１２０との隙間（対向する上面１１１ａの面とロール面１２０の面との間の空間）の厚さＴは狭くなる。このため、印刷ロール１２から飛散した印刷インク３が開口部１１２を抜けて印刷中のケーブル３に付着することを効果的に抑制できる。
【００２８】
また、印刷ロール１２から飛散した印刷インク３がケーブル３に付着することをより効果的に抑制するためには、蓋１１の上面１１１ａと印刷ロール１２のロール面１２０との隙間の厚さＴの最大値が５ｍｍ未満、すなわち隙間の最も厚い箇所の厚さが５ｍｍ未満、であることが好ましい。
【００２９】
ケーブル２は、例えば、導体の外周を被覆層で被覆したケーブルや、光ファイバである。
【００３０】
印刷インク３は、例えば、ビニルインク等のインクとシクロヘキサノン等の溶剤とを調合することにより得られる。また、印刷品質を維持する観点から、印刷インク３の温度や粘度等の特性は一定に保たれていることが望ましい。
【００３１】
なお、ケーブル表面印刷装置１の構成は、上述のもののみに限定されるものではなく、例えば、掻き上げロール１３を備えず、筐体１０に貯留された印刷インク３に印刷ロール１２のロール面１２０を直接浸ける構成や、インクノズルから印刷ロール１２のロール面１２０に印刷インク３を吹き付ける構成を有してもよい。
【００３２】
（実施の形態の作用及び効果）
本実施の形態によれば、印刷ロール１２のロール面１２０との隙間Ｔが狭くなるように設計された筐体１０の蓋１１を用いることにより、印刷ロール１２の側面１２１などに付着した印刷インク３が印刷ロール１２の回転によって円周方向へ飛散した際に、開口部１１２を抜けて印刷中のケーブル３に付着することを抑制できる。これにより、飛散したインクの付着によるケーブルの外観の劣化や、印刷された所定情報の識別性の低下を抑えることができる。
【００３３】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００３４】
［１］印刷インク（３）を用いてケーブル（２）の表面に所定情報を印刷するケーブル表面印刷装置であって、印刷ロール（１２）と、印刷ロール（１２）を収容する筐体（１０）と、筐体（１０）の上側に設けられた筐体（１０）の蓋（１１）と、を備え、蓋（１１）が、印刷ロール（１２）のロール面（１２０）に沿って上側に湾曲した上面（１１１ａ）と印刷ロール（１２）の側面（１２１）に沿った側面（１１１ｂ）とから構成される、中空の凸部（１１１）を有し、印刷ロール（１２）の上側の一部が凸部（１１１）の内側に位置し、凸部（１１１）が、上面（１１１ａ）の側面（１１１ｂ）から離れた領域に開口部（１１２）を有し、開口部（１１２）から露出した、印刷インク（３）の付着した印刷ロール（１２）のロール面（１２０）を蓋（１１）の上方のケーブル（２）の表面に接触させることにより、前記所定情報をケーブル（２）の表面に転写する、ケーブル表面印刷装置（１）。
【００３５】
［２］蓋（１１）の上面（１１１ａ）と印刷ロール（１２）のロール面（１２０）との隙間の厚さ（Ｔ）の最大値が５ｍｍ未満である、前記［１］に記載のケーブル表面印刷装置。
【００３６】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００３７】
本発明は、その趣旨を逸脱しない範囲で適宜変形して実施することが可能である。
【符号の説明】
【００３８】
１…ケーブル表面印刷装置
２…ケーブル
３…印刷インク
１０…筐体
１１…蓋
１２…印刷ロール
１１１…凸部
１１１ａ…上面
１１１ｂ…側面
１１２…開口部
１２０…ロール面
１２１…側面
【図１】
2019137002.tif 000003
【図２】
2019137002.tif 000004
【図３】
2019137002.tif 000005